(57)【要約】【課題】無駄な「ＳＩ  ｒｅｐｏｒｔｉｎｇ」の頻度を抑圧する。【解決手段】本発明に係る移動通信方法は、第１周波数ｆ１のセル＃Ａで通信中の移動局ＵＥが、セル＃Ａを管理する無線基地局ｅＮＢ＃Ａに対して、ＣＳＧセル＃１のＰＣＩを含む「ｐｒｏｘｉｍｉｔｙ  ｉｎｄｉｃａｔｉｏｎ」を送信する工程と、移動局ＵＥが、無線基地局ｅＮＢ＃Ａに対して、ＣＳＧセル＃１のＰＣＩを含む「ｍｅａｓｕｒｅｍｅｎｔ  ｒｅｐｏｒｔ」を送信する工程と、移動局ＵＥが、無線基地局ｅＮＢ＃Ａから受信した「ＳＩ  ｒｅｐｏｒｔｉｎｇ要求」に応じて、ＣＳＧセル＃１において報知されている所定情報を含む「ＳＩ  ｒｅｐｏｒｔｉｎｇ」を送信する工程とを有することを要旨とする。【選択図】図４
2011142578.tif 000002
【特許請求の範囲】
【請求項１】
第１周波数のセルで通信中の移動局が、アクセス権を有する第２周波数のセルに対応する所定エリア内に入ったことを検出した場合、或いは、該所定エリアから外に出たことを検出した場合に、該第１周波数のセルを管理する無線基地局に対して、該第２周波数のセルにおいて報知される同期信号に対するスクランブル処理に用いられるセル識別情報を含む指示情報を送信する工程と、
前記移動局が、前記無線基地局に対して、前記セル識別情報を含む測定報告を送信する工程と、
前記移動局が、前記無線基地局から受信した報告要求に応じて、前記第２周波数のセルにおいて報知されている所定情報を報告する工程とを有することを特徴とする移動通信方法。
【請求項２】
前記無線基地局が、受信した前記指示情報及び前記測定報告に基づいて、前記移動局に対して、前記報告要求を送信するか否かについて決定する工程を有することを特徴とする請求項１に記載の移動通信方法。
【請求項３】
前記無線基地局が、前記移動局の該第１周波数のセルから他の無線基地局配下のセルへのハンドオーバを行うことを決定した場合に、該他の無線基地局に対して、前記指示情報を転送する工程を有することを特徴とする請求項１に記載の移動通信方法。
【請求項４】
移動局であって、
第１周波数のセルで通信中に、アクセス権を有する第２周波数のセルに対応する所定エリア内に入ったことを検出した場合、或いは、該所定エリアから外に出たことを検出した場合に、該第１周波数のセルを管理する無線基地局に対して、該第２周波数のセルにおいて報知される同期信号に対するスクランブル処理に用いられるセル識別情報を含む指示情報を送信するように構成されている指示情報送信部と、
前記無線基地局に対して、前記セル識別情報を含む測定報告を送信するように構成されている測定報告送信部と、
前記無線基地局から受信した報告要求に応じて、前記第２周波数のセルにおいて報知されている所定情報を報告するように構成されている報知情報報告送信部とを具備することを特徴とする移動局。
【請求項５】
第１周波数のセルを管理する無線基地局であって、
アクセス権を有する第２周波数のセルに対応する所定エリア内に入ったことを検出した該第１周波数のセルで通信中の移動局、或いは、該所定エリアから外に出たことを検出した該移動局から、該第２周波数のセルにおいて報知される同期信号に対するスクランブル処理に用いられるセル識別情報を含む指示情報を受信するように構成されている指示情報受信部と、
前記移動局から、前記セル識別情報を含む測定報告を受信するように構成されている測定報告受信部と、
前記移動局に対して、前記第２周波数のセルにおいて報知されている所定情報の報告を要求する報告要求を送信するように構成されている報告要求送信部とを具備することを特徴とする無線基地局。
【請求項６】
前記報告要求送信部は、受信した前記指示情報及び前記測定報告に基づいて、前記移動局に対して、前記報告要求を送信するか否かについて決定するように構成されていることを特徴とする請求項５に記載の無線基地局。
【請求項７】
前記移動局の該第１周波数のセルから他の無線基地局配下のセルへのハンドオーバを行うことを決定した場合に、該他の無線基地局に対して、前記指示情報を転送するように構成されている転送部を具備することを特徴とする請求項５に記載の無線基地局。
【発明の詳細な説明】
【技術分野】
【０００１】
本発明は、移動通信方法、移動局及び無線基地局に関する。
【背景技術】
【０００２】
ＬＴＥ（Ｌｏｎｇ  Ｔｅｒｍ  Ｅｖｏｌｕｔｉｏｎ）方式の移動通信システムにおいて、ＣＳＧ（Ｃｌｏｓｅｄ  Ｓｕｂｓｃｒｉｂｅｒ  Ｇｒｏｏｕｐ）セルへのＩｎｂｏｕｎｄハンドオーバ手順では、「ＰＣＩ  ｃｏｎｆｕｓｉｏｎ」に起因する問題を解消し、「ｐｒｅｌｉｍｉｎａｒｙ  ａｃｃｅｓｓ  ｃｈｅｃｋ」を行うために、移動局ＵＥが、ハンドオーバ先セル（Ｔａｒｇｅｔ  Ｃｅｌｌ）において送信されている報知情報を受信し、通信中の無線基地局Ｓ-ｅＮＢ（Ｓｅｒｖｉｎｇ  ｅＮＢ）に対して、ハンドオーバ先セルの「ＣＧＩ（Ｃｅｌｌ  Ｇｌｏｂａｌ  Ｉｄｅｎｔｉｔｙ）」や、ハンドオーバ先セルの「ＴＡＩ（Ｔｒａｃｋｉｎｇ  Ａｒｅａ  Ｉｄｅｎｔｉｔｙ）」や、ハンドオーバ先セルによって報知されている「ＣＳＧ  ＩＤ」に属するか否かについて示す「ｍｅｍｂｅｒ/ｎｏｎ-ｍｅｍｂｅｒ  ｉｎｄｉｃａｔｉｏｎ」を送信するように構成されている。
【０００３】
かかる動作は、「ＳＩ（Ｓｙｓｔｅｍ  Ｉｎｆｏｒｍａｔｉｏｎ）  ｒｅｐｏｒｔｉｎｇ」と呼ばれている。なお、通常のハンドオーバ手順では、かかる「ＳＩ  ｒｅｐｏｒｔｉｎｇ」は行われない。
【０００４】
かかる無線基地局Ｓ-ｅＮＢは、「ＳＩ  ｒｅｐｏｒｔｉｎｇ」によって通知されたＣＧＩ及びＴＡＩを用いて、ハンドオーバ先セルを管理する無線基地局Ｔ-ｅＮＢ（Ｔａｒｇｅｔ  ｅＮＢ）を一意に特定し、かかる無線基地局Ｔ-ｅＮＢに対して、「ＨＯ  Ｐｒｅｐａｒａｔｉｏｎ  ｓｉｇｎａｌｌｉｎｇ」を送信することができる。
【０００５】
また、無線基地局Ｓ-ｅＮＢは、受信した「ｍｅｍｂｅｒ/ｎｏｎ-ｍｅｍｂｅｒ  ｉｎｄｉｃａｔｉｏｎ」に基づいて、移動局ＵＥの無線基地局Ｔ-ｅＮＢに対するハンドオーバを行うか否かについて、或いは、交換局ＭＭＥ（Ｍｏｂｉｌｉｔｙ  Ｍａｎａｇｅｍｅｎｔ  Ｅｎｔｉｔｙ）にて「ａｃｃｅｓｓｉｂｉｌｉｔｙ  ｃｈｅｃｋ」を行う必要があるか否かについて等の判断を行うように構成されている。
【０００６】
ここで、無線基地局Ｓ-ｅＮＢは、移動局ＵＥから「ｍｅａｓｕｒｅｍｅｎｔ  ｒｅｐｏｒｔ」を受信した際に、受信された「ｍｅａｓｕｒｅｍｅｎｔ  ｒｅｐｏｒｔ」に含まれる「ＰＣＩ（Ｐｈｙｓｉｃａｌ  Ｃｅｌｌ  Ｉｄｅｎｔｉｔｙ）」に基づいて、かかるＰＣＩのセルについて、「ＰＣＩ  ｃｏｎｆｕｓｉｏｎ」の可能性があるか、また、「ｐｒｅｌｉｍｉｎａｒｙ  ａｃｃｅｓｓ  ｃｈｅｃｋ」を行う必要があるか否かについて判断するように構成されている。
【０００７】
例えば、無線基地局Ｓ-ｅＮＢは、ネットワークの運用開始時に、ＣＳＧセル/ｈｙｂｒｉｄセル/ｏｐｅｎ（マクロ）セル用に使用されるＰＣＩの範囲を定めておき、上述のＰＣＩに基づいて、ＣＳＧセル/ｈｙｂｒｉｄセル/ｏｐｅｎセルの種別を判断し、上述のＰＣＩによって特定されるセルが、ＣＳＧセル/ｈｙｂｒｉｄセルである場合に、「ｐｒｅｌｉｍｉｎａｒｙ  ａｃｃｅｓｓ  ｃｈｅｃｋ」を行う必要があると判断してもよい。
【０００８】
また、無線基地局Ｓ-ｅＮＢは、上述のＰＣＩによって特定されるセルが、ＣＳＧセル/ｈｙｂｒｉｄセルである場合に、「ＰＣＩ  ｃｏｎｆｕｓｉｏｎ」の可能性があると判断してもよい。
【０００９】
また、無線基地局Ｓ-ｅＮＢは、ｏｐｅｎセル用に使用されるＰＣＩの範囲を、さらに、「ＰＣＩ  ｃｏｎｆｕｓｉｏｎ」の可能性があるセル（例えば、ｏｐｅｎ型ｆｅｍｔｏセル）用に使用されるＰＣＩの範囲と、「ＰＣＩ  ｃｏｎｆｕｓｉｏｎ」の可能性がないセル（例えば、通常のマクロセル）用に使用されるＰＣＩの範囲とに分類しておき、前者に属するＰＣＩが報告された場合に、「ＰＣＩ  ｃｏｎｆｕｓｉｏｎ」に起因する問題を解消する必要があると判断してもよい。
【００１０】
そして、無線基地局Ｓ-ｅＮＢは、「ｐｒｅｌｉｍｉｎａｒｙ  ａｃｃｅｓｓ  ｃｈｅｃｋ」や「ＰＣＩ  ｃｏｎｆｕｓｉｏｎ」に起因する問題の解消の必要があると判断した場合に、移動局ＵＥに対して、「ＳＩ  ｒｅｐｏｒｔｉｎｇ」を要求する「ＳＩ  ｒｅｐｏｒｔｉｎｇ要求」を送信することができる。
【００１１】
ここで、かかる「ＳＩ  ｒｅｐｏｒｔｉｎｇ要求」は、移動局ＵＥに対して、ＳＩ  ｒｅｐｏｒｔｉｎｇ」の対象となるセルのＰＣＩを指定する。
【００１２】
移動局ＵＥは、「ＳＩ  ｒｅｐｏｒｔｉｎｇ要求」を受信した場合、「ａｕｔｏｎｏｍｏｕｓ  ｇａｐ」に基づいて、「ＳＩ  ｒｅｐｏｒｔｉｎｇ要求」で指定されたＰＣＩのセルで報知されているＳＩを受信し、無線基地局Ｓ-ｅＮＢに対して、受信したＳＩに含まれるＣＧＩやＴＡＩや「ｍｅｍｂｅｒ/ｎｏｎ-ｍｅｍｂｅｒ  ｉｎｄｉｃａｔｉｏｎ」を送信するように構成されている。
【００１３】
すなわち、移動局ＵＥは、かかるセルで報知されているＳＩ（ＬＴＥ方式の場合は、ＭＩＢ及びＳＩＢ１）の受信タイミングにおいて、一時的に、通信中のセル（サービングセル）との間の信号の送受信を中断し、かかるセルで報知されているのＳＩを受信するように構成されている。
【００１４】
そして、移動局ＵＥは、所定期間（ＬＴＥ方式では、１５０ｍｓs程度の予定）内に、ＳＩの受信に成功した場合に、無線基地局Ｓ-ｅＮＢに対して、必要な情報を報告するように構成されている。
【００１５】
なお、移動局ＵＥは、所定期間内に、ＳＩの受信に成功しなかった場合においても、無線基地局Ｓ-ｅＮＢに対して、その旨を報告するように構成されている。
【００１６】
ここで、移動局ＵＥ、アクセス権を有していないＣＳＧセルに対して「ＳＩ  ｒｅｐｏｒｔｉｎｇ」が要求された場合、その都度、通信中のセルとの間の信号の送受信が中断されることとなり、また、「ＳＩ  ｒｅｐｏｒｔｉｎｇ」のための信号送信やＣ-ｐｌａｎｅ処理が発生することとなる。
【００１７】
したがって、移動局ＵＥの周辺に、アクセス権を有していないＣＳＧセルが多数存在した場合、頻繁に無駄なＳＩ  ｒｅｐｏｒｔｉｎｇ」が発生する恐れがある。
【００１８】
このような問題を解消するために、移動局ＵＥは、「ａｕｔｏｎｏｍｏｕｓ  ｓｅａｒｃｈ」に基づいて、「ｐｒｏｘｉｍｉｔｙ  ｉｎｄｉｃａｔｉｏｎ」を送信するように構成されている。
【００１９】
すなわち、移動局ＵＥは、アクセス権のあるＣＳＧセルのｆｉｎｇｅｒｐｒｉｎｔ情報を保持し、かかるｆｉｎｇｅｒｐｒｉｎｔ情報に基づいて、かかるＣＳＧセルに近付いたことを検知した場合に、無線基地局Ｓ-ｅＮＢに対して、「ｅｎｔｅｒｉｎｇ  ｐｒｏｘｉｍｉｔｙ  ｉｎｄｉｃａｔｉｏｎ」を送信し、かかるＣＳＧセルから遠ざかったことを検知した場合に、無線基地局Ｓ-ｅＮＢに対して、「ｌｅａｖｉｎｇ  ｐｒｏｘｉｍｉｔｙ  ｉｎｄｉｃａｔｉｏｎ」を送信するように構成されている。
【００２０】
ここで、ｆｉｎｇｅｒｐｒｉｎｔ情報は、かかるＣＳＧセルの周辺環境を表すものであり、例えば、周辺のマクロセルのセルＩＤや、周辺のセルのＲＳＲＰ（Ｒｅｆｅｒｅｎｃｅ  Ｓｉｇｎａｌ  Ｒｅｃｅｉｖｅｄ  Ｐｏｗｅｒ）や、ＧＰＳ情報等であってもよい。
【００２１】
無線基地局Ｓ-ｅＮＢは、移動局ＵＥから「ｅｎｔｅｒｉｎｇ  ｐｒｏｘｉｍｉｔｙ  ｉｎｄｉｃａｔｉｏｎ」が報告された場合に、その後の「ｍｅａｓｕｒｅｍｅｎｔ  ｒｅｐｏｒｔ」で報告されたＰＣＩに対して、必要に応じて、「ＳＩ  ｒｅｐｏｒｔｉｎｇ要求」を送信することができる。
【００２２】
これにより、ｆｉｎｇｅｒｐｒｉｎｔ情報によって特定されるエリア内においてのみ「ＳＩ  ｒｅｐｏｒｔｉｎｇ」が実施されるため、無駄な「ＳＩ  ｒｅｐｏｒｔｉｎｇ」の実施を回避することができる。
【００２３】
なお、「ｐｒｏｘｉｍｉｔｙ  ｉｎｄｉｃａｔｉｏｎ」は、「ＳＩ  ｒｅｐｏｒｔｉｎｇ」の制御のみでなく、異なる周波数のセル或いは異なるＲＡＴ（Ｒａｄｉｏ  Ａｃｃｅｓｓ  Ｔｅｃｈｎｏｌｏｇｙ）セルについての「ｍｅａｓｕｒｅｍｅｎｔ  ｃｏｎｆｉｇｕｒａｔｉｏｎ」の制御に対しても使用される。
【００２４】
すなわち、移動局ＵＥは、通信中のセルと異なる周波数或いはＲＡＴのセルについての「ｍｅａｓｕｒｅｍｅｎｔ  ｃｏｎｆｉｇｕｒａｔｉｏｎ」が設定された状態でなければ、異なる周波数のセル或いは異なるＲＡＴ（Ｒａｄｉｏ  Ａｃｃｅｓｓ  Ｔｅｃｈｎｏｌｏｇｙ）セルについての「ｍｅａｓｕｒｅｍｅｎｔ（測定）」を行うことができない。
【００２５】
移動局ＵＥは、アクセス権を有するＣＳＧセルが、通信中のセルの周辺において、通信中のセルと異なる周波数或いはＲＡＴで存在している場合、無線基地局Ｓ-ｅＮＢに対して、「ｅｎｔｅｒｉｎｇ  ｐｒｏｘｉｍｉｔｙ  ｉｎｄｉｃａｔｉｏｎ」することで、必要な「ｍｅａｓｕｒｅｍｅｎｔ  ｃｏｎｆｉｇｕｒａｔｉｏｎ」の設定を要求することができ、また、「ｌｅａｖｉｎｇ  ｐｒｏｘｉｍｉｔｙ  ｉｎｄｉｃａｔｉｏｎ」を送信することで、不要な「ｍｅａｓｕｒｅｍｅｎｔ  ｃｏｎｆｉｇｕｒａｔｉｏｎ」の削除を要求することができる。
【００２６】
かかる「ｍｅａｓｕｒｅｍｅｎｔ  ｃｏｎｆｉｇｕｒａｔｉｏｎ」には、通信中のセルと異なる周波数或いはＲＡＴのセルを示す「ｍｅａｓｕｒｅｍｅｎｔ  ｏｂｊｅｃｔ」や、「ｒｅｐｏｒｔｉｎｇ  ｃｏｎｆｉｇｕｒａｔｉｏｎ」や、「ｍｅａｓｕｒｅｍｅｎｔ  ｉｄｅｎｔｉｔｙ」や、「ｍｅａｓｕｒｅｍｅｎｔ  ｇａｐ」等が含まれていてもよい。
【００２７】
また、上述の目的のため、移動局ＵＥが、「ｐｒｏｘｉｍｉｔｙ  ｉｎｄｉｃａｔｉｏｎ」によって、「ｍｅａｓｕｒｅｍｅｎｔ  ｃｏｎｆｉｇｕｒａｔｉｏｎ」を要求する周波数やＲＡＴに係る情報を通知することができる。
【先行技術文献】
【非特許文献】
【００２８】
【非特許文献１】３ＧＰＰ  ＴＳ３６.３３１  ｖ９.１.０
【非特許文献２】３ＧＰＰ  ＴＳ３６.３０４  ｖ９.１.０
【非特許文献３】３ＧＰＰ  ＴＳ３６.３００  ｖ９.２.０
【発明の概要】
【発明が解決しようとする課題】
【００２９】
しかしながら、上述の移動通信システムにおける現状の制御では、ｆｉｎｇｅｒｐｒｉｎｔ情報によって特定されるエリア内に、移動局ＵＥがアクセス権を有していない多数のＣＳＧセルが存在した場合に、「ＳＩ  ｒｅｐｏｒｔｉｎｇ」が頻繁に生じる可能性があるという問題点がある。
【００３０】
また、ｆｉｎｇｅｒｐｒｉｎｔ情報の設定は、実装に依存されているため、移動局ＵＥにおいて、ＧＰＳ情報のような精度の高いｆｉｎｇｅｒｐｒｉｎｔ情報が設定されているとは限らず、例えば、ＴＡ単位やＰＬＭＮ（Ｐｕｂｌｉｃ  Ｌａｎｄ  Ｍｏｂｉｌｅ  Ｎｅｔｗｏｒｋ）単位で、ｆｉｎｇｅｒｐｒｉｎｔ情報が設定される場合もある。
【００３１】
このような場合に、現状の制御では、「ＳＩ  ｒｅｐｏｒｔｉｎｇ」の頻度を十分に抑圧できない可能性があるという問題点がある。
【００３２】
そこで、本発明は、上述の課題に鑑みてなされたものであり、無駄な「ＳＩ  ｒｅｐｏｒｔｉｎｇ」の頻度を抑圧することができる移動通信方法、移動局及び無線基地局を提供することを目的とする。
【課題を解決するための手段】
【００３３】
本発明の第１の特徴は、移動通信方法であって、第１周波数のセルで通信中の移動局が、アクセス権を有する第２周波数のセルに対応する所定エリア内に入ったことを検出した場合、或いは、該所定エリアから外に出たことを検出した場合に、該第１周波数のセルを管理する無線基地局に対して、該第２周波数のセルにおいて報知される同期信号に対するスクランブル処理に用いられるセル識別情報を含む指示情報を送信する工程と、前記移動局が、前記無線基地局に対して、前記セル識別情報を含む測定報告を送信する工程と、前記移動局が、前記無線基地局から受信した報告要求に応じて、前記第２周波数のセルにおいて報知されている所定情報を報告する工程とを有することを要旨とする。
【００３４】
本発明の第２の特徴は、移動局であって、第１周波数のセルで通信中に、アクセス権を有する第２周波数のセルに対応する所定エリア内に入ったことを検出した場合、或いは、該所定エリアから外に出たことを検出した場合に、該第１周波数のセルを管理する無線基地局に対して、該第２周波数のセルにおいて報知される同期信号に対するスクランブル処理に用いられるセル識別情報を含む指示情報を送信するように構成されている指示情報送信部と、前記無線基地局に対して、前記セル識別情報を含む測定報告を送信するように構成されている測定報告送信部と、前記無線基地局から受信した報告要求に応じて、前記第２周波数のセルにおいて報知されている所定情報を報告するように構成されている報知情報報告送信部とを具備することを要旨とする。
【００３５】
本発明の第３の特徴は、第１周波数のセルを管理する無線基地局であって、アクセス権を有する第２周波数のセルに対応する所定エリア内に入ったことを検出した該第１周波数のセルで通信中の移動局、或いは、該所定エリアから外に出たことを検出した該移動局から、該第２周波数のセルにおいて報知される同期信号に対するスクランブル処理に用いられるセル識別情報を含む指示情報を受信するように構成されている指示情報受信部と、前記移動局から、前記セル識別情報を含む測定報告を受信するように構成されている測定報告受信部と、前記移動局に対して、前記第２周波数のセルにおいて報知されている所定情報の報告を要求する報告要求を送信するように構成されている報告要求送信部とを具備することを要旨とする。
【発明の効果】
【００３６】
以上説明したように、本発明によれば、無駄な「ＳＩ  ｒｅｐｏｒｔｉｎｇ」の頻度を抑圧することができる移動通信方法、移動局及び無線基地局を提供することができる。
【図面の簡単な説明】
【００３７】
【図１】本発明の第１の実施形態に係る移動通信システムの全体構成図である。
【図２】本発明の第１の実施形態に係る移動局の機能ブロック図である。
【図３】本発明の第１の実施形態に係る無線基地局の機能ブロック図である。
【図４】本発明の第１の実施形態に係る移動通信システムの動作を示すシーケンス図である。
【発明を実施するための形態】
【００３８】
（本発明の第１の実施形態に係る移動通信システムの構成）
図１乃至図３を参照して、本発明の第１の実施形態に係る移動通信システムの構成について説明する。
【００３９】
本実施形態に係る移動通信システムは、ＬＴＥ方式の移動通信システムであって、かかる移動通信システムには、図１に示すように、無線基地局ｅＮＢ＃Ａによって管理されている周波数ｆ１のセル＃Ａ、及び、無線基地局ＨｅＮＢ＃１によって管理されている周波数ｆ２のＣＳＧセル＃１が配置されている。ここで、ＣＳＧセル＃１は、セル＃Ａのエリア内に配置されている。
【００４０】
図２に示すように、移動局ＵＥは、管理部１１と、ｐｒｏｘｉｍｉｔｙ  ｉｎｄｉｃａｔｉｏｎ送信部１２と、ｍｅａｓｕｒｅｍｅｎｔ  ｃｏｎｆｉｇｕｒａｔｉｏｎ受信部１３と、測定部１４と、ｍｅａｓｕｒｅｍｅｎｔ  ｒｅｐｏｒｔ送信部１５と、ＳＩ  ｒｅｐｏｒｔｉｎｇ要求受信部１６と、ＳＩ受信部１７と、ＳＩ  ｒｅｐｏｒｔｉｎｇ送信部１８とを具備している。
【００４１】
管理部１１は、移動局ＵＥがアクセス権を有するＣＳＧセルの周波数に対応する所定エリアを管理するように構成されている。
【００４２】
例えば、本実施形態では、管理部１１は、移動局ＵＥがアクセス権を有するＣＳＧセル＃１の周波数ｆ２に対応する所定エリア＃１を管理するように構成されている。
【００４３】
ここで、所定エリア＃１は、上述のＣＳＧセル＃１よりも大きいエリアであってもよいし、上述のＣＳＧセル＃１と一致していてもよい。
【００４４】
所定エリア＃１は、ｆｉｎｇｅｒｐｒｉｎｔ情報によって規定されるエリアであって、移動局ＵＥが上述のＣＳＧセル＃１が存在する「周辺環境」に関して記憶している情報である。
【００４５】
例えば、所定エリア＃１は、周辺に存在するマクロセルのＩＤやマクロセルからの信号受信レベルやＧＰＳ情報等に基づく情報であってよいし、或いは、位置登録エリアＩＤやＰＬＭＮ  ＩＤ等であってもよく、どのような情報を使うかは、実装依存であってよい。
【００４６】
ｐｒｏｘｉｍｉｔｙ  ｉｎｄｉｃａｔｉｏｎ送信部１２は、移動局ＵＥが通信中の無線基地局ｅＮＢ＃Ａに対して、「ｅｎｔｅｒｉｎｇ  ｐｒｏｘｉｍｉｔｙ  ｉｎｄｉｃａｔｉｏｎ（第１指示情報）」又は「ｌｅａｖｉｎｇ  ｐｒｏｘｉｍｉｔｙ  ｉｎｄｉｃａｔｉｏｎ（第２指示情報）」を送信するように構成されている。
【００４７】
例えば、ｐｒｏｘｉｍｉｔｙ  ｉｎｄｉｃａｔｉｏｎ送信部１２は、移動局ＵＥが、セル＃Ａで通信中に、所定エリア＃１内に入ったことを検出した場合に、無線基地局ｅＮＢ＃Ａに対して、ＣＳＧセル＃１のＰＣＩを含む「ｅｎｔｅｒｉｎｇ  ｐｒｏｘｉｍｉｔｙ  ｉｎｄｉｃａｔｉｏｎ」を送信するように構成されている。
【００４８】
ここで、ＰＣＩは、ＣＳＧセル＃１において報知されるＰｒｉｍａｒｙ-ＳＣＨ（Ｓｙｎｃｈｒｏｎｉｚａｔｉｏｎ  Ｃｈａｎｎｅｌ）信号及びＳｅｃｏｎｄａｒｙ-ＳＣＨ信号（同期信号）に対するスクランブル処理に用いられる。
【００４９】
なお、ＰＣＩは、ＣＳＧセル用に使用される範囲に属するＰＣＩと、ｈｙｂｒｉｄセル用に使用される範囲に属するＰＣＩと、ｏｐｅｎセル用に使用される範囲に属するＰＣＩとに分類されている。
【００５０】
また、ｏｐｅｎセル用に使用される範囲に属するＰＣＩは、さらに、「ＰＣＩ  ｃｏｎｆｕｓｉｏｎ」の可能性があるセル（例えば、ｏｐｅｎ型ｆｅｍｔｏセル）用に使用される範囲のＰＣＩと、「ＰＣＩ  ｃｏｎｆｕｓｉｏｎ」の可能性がないセル（例えば、通常のマクロセル）用に使用される範囲のＰＣＩとに分類されてもよい。
【００５１】
また、ｐｒｏｘｉｍｉｔｙ  ｉｎｄｉｃａｔｉｏｎ送信部１２は、移動局ＵＥが、セル＃Ａで通信中に、所定エリア＃１から外に出たことを検出した場合に、ＣＳＧセル＃１のＰＣＩを含む「ｌｅａｖｉｎｇ  ｐｒｏｘｉｍｉｔｙ  ｉｎｄｉｃａｔｉｏｎ」を送信するように構成されている。
【００５２】
なお、上述の「ｅｎｔｅｒｉｎｇ  ｐｒｏｘｉｍｉｔｙ  ｉｎｄｉｃａｔｉｏｎ」及び「ｌｅａｖｉｎｇ  ｐｒｏｘｉｍｉｔｙ  ｉｎｄｉｃａｔｉｏｎ」では、ＣＳＧセル＃１のＰＣＩに加えて、ＣＳＧセル＃１のＲＡＴや周波数やＣＧＩ等が含まれていてもよい。
【００５３】
ｍｅａｓｕｒｅｍｅｎｔ  ｃｏｎｆｉｇｕｒａｔｉｏｎ受信部１３は、移動局ＵＥが通信中の無線基地局ｅＮＢ＃Ａから、「ｍｅａｓｕｒｅｍｅｎｔ  ｇａｐ（測定間隔）」を含む「ｍｅａｓｕｒｅｍｅｎｔ  ｃｏｎｆｉｇｕｒａｔｉｏｎ（測定構成）」を受信するように構成されている。
【００５４】
測定部１４は、ｍｅａｓｕｒｅｍｅｎｔ  ｃｏｎｆｉｇｕｒａｔｉｏｎ受信部１３によって受信された「ｍｅａｓｕｒｅｍｅｎｔ  ｇａｐ」において、周波数ｆ２においてセルサーチし、ＣＳＧセル＃１を検出した場合、その無線品質を測定するように構成されている。
【００５５】
なお、測定部１４は、移動局ＵＥが通信中の無線基地局ｅＮＢ＃Ａから、「ｍｅａｓｕｒｅｍｅｎｔ  ｇａｐ」における周波数ｆ２のＣＳＧセル＃１における無線品質の測定を中止するように指示する「ｍｅａｓｕｒｅｍｅｎｔ  ｃｏｎｆｉｇｕｒａｔｉｏｎ」を受信した場合には、かかるセルサーチ及び無線品質の測定を中止するように構成されている。
【００５６】
ｍｅａｓｕｒｅｍｅｎｔ  ｒｅｐｏｒｔ送信部１５は、移動局ＵＥが通信中の無線基地局ｅＮＢ＃Ａに対して、測定部１４による測定結果（ＣＳＧセル＃１における無線品質の測定結果）を報告するために、ＣＳＧセル＃１のＰＣＩを含む「ｍｅａｓｕｒｅｍｅｎｔ  ｒｅｐｏｒｔ」を送信するように構成されている。
【００５７】
ＳＩ  ｒｅｐｏｒｔｉｎｇ要求受信部１６は、移動局ＵＥが通信中の無線基地局ｅＮＢ＃Ａから、「ＳＩ  ｒｅｐｏｒｔｉｎｇ要求」を受信するように構成されている。
【００５８】
ＳＩ受信部１７は、「ａｕｔｏｎｏｍｏｕｓ  ｇａｐ」に基づいて、ＳＩ  ｒｅｐｏｒｔｉｎｇ要求受信部１６によって受信された「ＳＩ  ｒｅｐｏｒｔｉｎｇ要求」で指定されたＰＣＩのセルで報知されているＳＩを受信するように構成されている。
【００５９】
ＳＩ  ｒｅｐｏｒｔｉｎｇ送信部１８は、移動局ＵＥが通信中の無線基地局ｅＮＢ＃Ａに対して、ＳＩ受信部１７によって受信されたＳＩに含まれるＣＧＩやＴＡＩや「ｍｅｍｂｅｒ/ｎｏｎ-ｍｅｍｂｅｒ  ｉｎｄｉｃａｔｉｏｎ」等の所定情報を含む「ＳＩ  ｒｅｐｏｒｔｉｎｇ」を送信するように構成されている。
【００６０】
図３に示すように、無線基地局ｅＮＢ＃Ａは、ｐｒｏｘｉｍｉｔｙ  ｉｎｄｉｃａｔｉｏｎ受信部２１と、管理部２２と、ｍｅａｓｕｒｅｍｅｎｔ  ｃｏｎｆｉｇｕｒａｔｉｏｎ送信部２３と、ｍｅａｓｕｒｅｍｅｎｔ  ｒｅｐｏｒｔ受信部２４と、ＳＩ  ｒｅｐｏｒｔｉｎｇ要求送信部２５と、ＳＩ  ｒｅｐｏｒｔｉｎｇ受信部２６と、転送部２７とを具備している。
【００６１】
ｐｒｏｘｉｍｉｔｙ  ｉｎｄｉｃａｔｉｏｎ受信部２１は、無線基地局ｅＮＢ＃Ａと通信中の移動局ＵＥによって送信された「ｅｎｔｅｒｉｎｇ  ｐｒｏｘｉｍｉｔｙ  ｉｎｄｉｃａｔｉｏｎ」又は「ｌｅａｖｉｎｇ  ｐｒｏｘｉｍｉｔｙ  ｉｎｄｉｃａｔｉｏｎ」を受信するように構成されている。
【００６２】
管理部２２は、ｐｒｏｘｉｍｉｔｙ  ｉｎｄｉｃａｔｉｏｎ受信部２１によって受信された「ｅｎｔｅｒｉｎｇ  ｐｒｏｘｉｍｉｔｙ  ｉｎｄｉｃａｔｉｏｎ」又は「ｌｅａｖｉｎｇ  ｐｒｏｘｉｍｉｔｙ  ｉｎｄｉｃａｔｉｏｎ」を管理するように構成されている。
【００６３】
例えば、管理部２２は、移動局ＵＥの識別情報及びＣＳＧセル＃１のＰＣＩを、「ｅｎｔｅｒｉｎｇ  ｐｒｏｘｉｍｉｔｙ  ｉｎｄｉｃａｔｉｏｎ」又は「ｌｅａｖｉｎｇ  ｐｒｏｘｉｍｉｔｙ  ｉｎｄｉｃａｔｉｏｎ」に関連付けて管理するように構成されている。
【００６４】
ｍｅａｓｕｒｅｍｅｎｔ  ｃｏｎｆｉｇｕｒａｔｉｏｎ送信部２３は、無線基地局ｅＮＢ＃Ａと通信中の移動局ＵＥに対して、「ｍｅａｓｕｒｅｍｅｎｔ  ｇａｐ」における特定セルにおける無線品質の測定の開始又は中止を指示する「ｍｅａｓｕｒｅｍｅｎｔ  ｃｏｎｆｉｇｕｒａｔｉｏｎ」を送信するように構成されている。
【００６５】
ここで、ｍｅａｓｕｒｅｍｅｎｔ  ｃｏｎｆｉｇｕｒａｔｉｏｎ送信部２３は、ｐｒｏｘｉｍｉｔｙ  ｉｎｄｉｃａｔｉｏｎ受信部２１によって受信された「ｅｎｔｅｒｉｎｇ  ｐｒｏｘｉｍｉｔｙ  ｉｎｄｉｃａｔｉｏｎ」又は「ｌｅａｖｉｎｇ  ｐｒｏｘｉｍｉｔｙ  ｉｎｄｉｃａｔｉｏｎ」に含まれる周波数のセルにおける無線品質の測定の開始を指示する「ｍｅａｓｕｒｅｍｅｎｔ  ｃｏｎｆｉｇｕｒａｔｉｏｎ」を送信するように構成されていてもよい。
【００６６】
ｍｅａｓｕｒｅｍｅｎｔ  ｒｅｐｏｒｔ受信部２４は、無線基地局ｅＮＢ＃Ａと通信中の移動局ＵＥによって送信された「ｍｅａｓｕｒｅｍｅｎｔ  ｒｅｐｏｒｔ」を受信するように構成されている。
【００６７】
ＳＩ  ｒｅｐｏｒｔｉｎｇ要求送信部２５は、無線基地局ｅＮＢ＃Ａと通信中の移動局ＵＥに対して、「ＳＩ  ｒｅｐｏｒｔｉｎｇ要求」を送信するように構成されている。
【００６８】
例えば、ＳＩ  ｒｅｐｏｒｔｉｎｇ要求送信部２５は、ｐｒｏｘｉｍｉｔｙ  ｉｎｄｉｃａｔｉｏｎ受信部２１によって受信された「ｅｎｔｅｒｉｎｇ  ｐｒｏｘｉｍｉｔｙ  ｉｎｄｉｃａｔｉｏｎ」又は「ｌｅａｖｉｎｇ  ｐｒｏｘｉｍｉｔｙ  ｉｎｄｉｃａｔｉｏｎ」、及び、ｍｅａｓｕｒｅｍｅｎｔ  ｒｅｐｏｒｔ受信部２４によって受信された「ｍｅａｓｕｒｅｍｅｎｔ  ｒｅｐｏｒｔ」に基づいて、移動局ＵＥに対して、「ＳＩ  ｒｅｐｏｒｔｉｎｇ要求」を送信するか否かについて決定するように構成されていてもよい。
【００６９】
具体的には、管理部２２によって管理されている「ｅｎｔｅｒｉｎｇ  ｐｒｏｘｉｍｉｔｙ  ｉｎｄｉｃａｔｉｏｎ」に関連付けられているＰＣＩにおける無線品質を含む「ｍｅａｓｕｒｅｍｅｎｔ  ｒｅｐｏｒｔ」が、ｍｅａｓｕｒｅｍｅｎｔ  ｒｅｐｏｒｔ受信部２４によって受信された場合に、ＳＩ  ｒｅｐｏｒｔｉｎｇ要求送信部２５は、当該「ｅｎｔｅｒｉｎｇ  ｐｒｏｘｉｍｉｔｙ  ｉｎｄｉｃａｔｉｏｎ」に関連付けられている移動局ＵＥの識別情報によって特定される移動局ＵＥに対して、「ＳＩ  ｒｅｐｏｒｔｉｎｇ」の送信を開始するように指示する「ＳＩ  ｒｅｐｏｒｔｉｎｇ要求」を送信するように決定してもよい。
【００７０】
一方、移動局ＵＥから送信された「ｍｅａｓｕｒｅｍｅｎｔ  ｒｅｐｏｒｔ」によって無線品質が報告されているＣＳＧセルのＰＣＩが、管理部２２によって「ｅｎｔｅｒｉｎｇ  ｐｒｏｘｉｍｉｔｙ  ｉｎｄｉｃａｔｉｏｎ」に関連付けられて管理されていない場合には、ＳＩ  ｒｅｐｏｒｔｉｎｇ要求送信部２５は、かかる移動局ＵＥは、かかるＣＳＧセルに対してアクセス権を有していないものと見做して、かかる移動局ＵＥに対して、「ＳＩ  ｒｅｐｏｒｔｉｎｇ」の送信を開始するように指示する「ＳＩ  ｒｅｐｏｒｔｉｎｇ要求」を送信しないように決定してもよい。
【００７１】
また、移動局ＵＥから送信された「ｍｅａｓｕｒｅｍｅｎｔ  ｒｅｐｏｒｔ」によって無線品質が報告されているＣＳＧセルのＰＣＩが、ｈｙｂｒｉｄセル用に使用される範囲のＰＣＩである場合には、ＳＩ  ｒｅｐｏｒｔｉｎｇ要求送信部２５は、かかる移動局ＵＥに対して、一律に、「ＳＩ  ｒｅｐｏｒｔｉｎｇ要求」を送信するように決定してもよい。
【００７２】
また、移動局ＵＥから、「ｌｅａｖｉｎｇ  ｐｒｏｘｉｍｉｔｙ  ｉｎｄｉｃａｔｉｏｎ」を受信した場合、ＳＩ  ｒｅｐｏｒｔｉｎｇ要求送信部２５は、移動局ＵＥに対して、「ＳＩ  ｒｅｐｏｒｔｉｎｇ」の送信を中止するように指示する「ＳＩ  ｒｅｐｏｒｔｉｎｇ要求」を送信し、ｍｅａｓｕｒｅｍｅｎｔ  ｃｏｎｆｉｇｕｒａｔｉｏｎ送信部２３は、移動局ＵＥに対して、「ｍｅａｓｕｒｅｍｅｎｔ  ｇａｐ」におけるＣＳＧセル＃１における無線品質の測定の中止を指示する「ｍｅａｓｕｒｅｍｅｎｔ  ｃｏｎｆｉｇｕｒａｔｉｏｎ」を送信するように決定してもよい。
【００７３】
ＳＩ  ｒｅｐｏｒｔｉｎｇ受信部２６は、無線基地局ｅＮＢ＃Ａと通信中の移動局ＵＥから、「ＳＩ  ｒｅｐｏｒｔｉｎｇ」を受信するように構成されている。
【００７４】
転送部２７は、移動局ＵＥのセル＃Ａから他の無線基地局ｅＮＢ配下のセルへのハンドオーバを行うことを決定した場合に、かかる他の無線基地局ｅＮＢに対して、管理部２２によって管理されている「ｅｎｔｅｒｉｎｇ  ｐｒｏｘｉｍｉｔｙ  ｉｎｄｉｃａｔｉｏｎ」又は「ｌｅａｖｉｎｇ  ｐｒｏｘｉｍｉｔｙ  ｉｎｄｉｃａｔｉｏｎ」を転送するように構成されている。
【００７５】
具体的には、転送部２７は、移動局ＵＥから受信した「ｅｎｔｅｒｉｎｇ  ｐｒｏｘｉｍｉｔｙ  ｉｎｄｉｃａｔｉｏｎ」で報告されており、移動局ＵＥから受信した「ｌｅａｖｉｎｇ  ｐｒｏｘｉｍｉｔｙ  ｉｎｄｉｃａｔｉｏｎ」で報告されていないＣＳＧセル＃１のＰＣＩやＣＧＩやＲＡＴや周波数等を転送するように構成されていてもよい。
【００７６】
ここで、転送部２７は、「ｅｎｔｅｒｉｎｇ  ｐｒｏｘｉｍｉｔｙ  ｉｎｄｉｃａｔｉｏｎ」又は「ｌｅａｖｉｎｇ  ｐｒｏｘｉｍｉｔｙ  ｉｎｄｉｃａｔｉｏｎ」に関連付けられている移動局ＵＥの識別情報及びＣＳＧセル＃１のＰＣＩについても併せて転送するように構成されていてもよい。
【００７７】
例えば、転送部２７は、「ＨＯ  Ｐｒｅｐａｒａｔｉｏｎ  ｓｉｇｎａｌｌｉｎｇ」によって、これらの情報を転送するように構成されていてもよい。
【００７８】
また、転送部２７は、移動局ＵＥに対して「ｐｒｏｘｉｍｉｔｙ  ｉｎｄｉｃａｔｉｏｎ」の送信を許可しているか否かについて示す「ｃｏｎｆｉｇｕｒａｔｉｏｎ状態」について転送するように構成されていてもよい。
【００７９】
ここで、「ｐｒｏｘｉｍｉｔｙ  ｉｎｄｉｃａｔｉｏｎ」の送信可否は、ＲＡＴごとに設定可能であるため、転送部２７は、どのＲＡＴについて「ｐｒｏｘｉｍｉｔｙ  ｉｎｄｉｃａｔｉｏｎ」の送信を許可しているかについて示す「ｃｏｎｆｉｇｕｒａｔｉｏｎ状態」について転送するように構成されていてもよい。
【００８０】
（本発明の第１の実施形態に係る移動通信システムの動作）
図４を参照して、本発明の第１の実施形態に係る移動通信システムの動作について説明する。
【００８１】
ここで、無線基地局ｅＮＢ＃Ａが、通信中の移動局ＵＥに対して、個別シグナリングによって、「ｅｎｔｅｒｉｎｇ  ｐｒｏｘｉｍｉｔｙ  ｉｎｄｉｃａｔｉｏｎ」及び「ｌｅａｖｉｎｇ  ｐｒｏｘｉｍｉｔｙ  ｉｎｄｉｃａｔｉｏｎ」の送信を許可しているものとする。
【００８２】
図４に示すように、移動局ＵＥは、ステップＳ１００１において、所定エリア＃１内に入ったことを検出した場合、ステップＳ１００２において、無線基地局ｅＮＢ＃Ａに対して、「ｅｎｔｅｒｉｎｇ  ｐｒｏｘｉｍｉｔｙ  ｉｎｄｉｃａｔｉｏｎ」を送信する。
【００８３】
無線基地局ｅＮＢ＃Ａは、ステップＳ１００３において、受信した「ｅｎｔｅｒｉｎｇ  ｐｒｏｘｉｍｉｔｙ  ｉｎｄｉｃａｔｉｏｎ」を管理部２２に記憶し、ステップＳ１００４において、移動局ＵＥに対して、かかる「ｅｎｔｅｒｉｎｇ  ｐｒｏｘｉｍｉｔｙ  ｉｎｄｉｃａｔｉｏｎ」に含まれるＣＳＧセル＃１における無線品質の測定の開始を指示する「ｍｅａｓｕｒｅｍｅｎｔ  ｃｏｎｆｉｇｕｒａｔｉｏｎ」を送信する。
【００８４】
移動局ＵＥは、ステップＳ１００５において、「ｍｅａｓｕｒｅｍｅｎｔ  ｃｏｎｆｉｇｕｒａｔｉｏｎ」に基づいて、ＣＳＧセル＃１における無線品質の測定を行い、ステップＳ１００６において、無線基地局ｅＮＢ＃Ａに対して、ＣＳＧセル＃１のＰＣＩ及びＣＳＧセル＃１における無線品質の測定結果を含む「ｍｅａｓｕｒｅｍｅｎｔ  ｒｅｐｏｒｔ」を送信する。
【００８５】
無線基地局ｅＮＢ＃Ａは、ステップＳ１００７において、受信した「ｍｅａｓｕｒｅｍｅｎｔ  ｒｅｐｏｒｔ」に含まれるＣＳＧセル＃１のＰＣＩと移動局ＵＥの識別情報と「ｅｎｔｅｒｉｎｇ  ｐｒｏｘｉｍｉｔｙ  ｉｎｄｉｃａｔｉｏｎ」とが、管理部２２によって関連付けて管理されていることを確認し、ステップＳ１００８において、かかる移動局ＵＥに対して、「ＳＩ  ｒｅｐｏｒｔｉｎｇ」の送信を開始するように指示する「ＳＩ  ｒｅｐｏｒｔｉｎｇ要求」を送信する。
【００８６】
移動局ＵＥは、ステップＳ１００９において、ＳＩ  ｒｅｐｏｒｔｉｎｇ要求」によって指示されているＣＳＧセル＃１において報知されている所定情報を受信し、ステップＳ１０１０において、無線基地局ｅＮＢ＃Ａに対して、かかる所定情報を含む「ＳＩ  ｒｅｐｏｒｔｉｎｇ」を送信する。
【００８７】
（本発明の第１の実施形態に係る移動通信システムの作用・効果）
本発明の第１の実施形態に係る移動通信システムによれば、移動局ＵＥが、無線基地局ｅＮＢ＃１に対して、アクセス権を有するＣＳＧセル＃１のＰＣＩを含む「ｅｎｔｅｒｉｎｇ  ｐｒｏｘｉｍｉｔｙ  ｉｎｄｉｃａｔｉｏｎ」及び「ｌｅａｖｉｎｇ  ｐｒｏｘｉｍｉｔｙ  ｉｎｄｉｃａｔｉｏｎ」を送信するように構成されているため、移動局ＵＥがアクセス権を有していないＣＳＧセルについての「ＳＩ  ｒｅｐｏｒｔｉｎｇ」の送信を要求する「ＳＩ  ｒｅｐｏｒｔｉｎｇ要求」の送信を回避することができる。
【００８８】
以上に述べた本実施形態の特徴は、以下のように表現されていてもよい。
【００８９】
本実施形態の第１の特徴は、移動通信方法であって、第１周波数ｆ１のセル＃Ａで通信中の移動局ＵＥが、アクセス権を有する第２周波数ｆ２のＣＳＧセル＃１に対応する所定エリア＃１内に入ったことを検出した場合、或いは、所定エリア＃１から外に出たことを検出した場合に、セル＃Ａを管理する無線基地局ｅＮＢ＃Ａに対して、ＣＳＧセル＃１において報知されるＰｒｉｍａｒｙ-ＳＣＨ信号及びＳｅｃｏｎｄａｒｙ-ＳＣＨ信号（同期信号）に対するスクランブル処理に用いられるＰＣＩ（セル識別情報）を含む「ｐｒｏｘｉｍｉｔｙ  ｉｎｄｉｃａｔｉｏｎ（指示情報）」を送信する工程と、移動局ＵＥが、無線基地局ｅＮＢ＃Ａに対して、ＣＳＧセル＃１のＰＣＩを含む「ｍｅａｓｕｒｅｍｅｎｔ  ｒｅｐｏｒｔ（測定報告）」を送信する工程と、移動局ＵＥが、無線基地局ｅＮＢ＃Ａから受信した「ＳＩ  ｒｅｐｏｒｔｉｎｇ要求（報告要求）」に応じて、ＣＳＧセル＃１において報知されている所定情報（例えば、ＣＧＩやＴＡＩや「ｍｅｍｂｅｒ/ｎｏｎ-ｍｅｍｂｅｒ  ｉｎｄｉｃａｔｉｏｎ」等）を含む「ＳＩ  ｒｅｐｏｒｔｉｎｇ」を送信する工程とを有することを要旨とする。
【００９０】
本実施形態の第１の特徴において、無線基地局ｅＮＢ＃Ａが、受信した「ｐｒｏｘｉｍｉｔｙ  ｉｎｄｉｃａｔｉｏｎ」及び「ｍｅａｓｕｒｅｍｅｎｔ  ｒｅｐｏｒｔ」に基づいて、移動局ＵＥに対して、「ＳＩ  ｒｅｐｏｒｔｉｎｇ要求」を送信するか否かについて決定する工程を有してもよい。
【００９１】
本実施形態の第１の特徴において、無線基地局ｅＮＢ＃Ａが移動局ＵＥの第１周波数ｆ１のセル＃Ａから他の無線基地局ｅＮＢ配下のセルへのハンドオーバを行うことを決定した場合に、かかる他の無線基地局ｅＮＢに対して、「ｐｒｏｘｉｍｉｔｙ  ｉｎｄｉｃａｔｉｏｎ」を転送する工程を有してもよい。
【００９２】
本実施形態の第２の特徴は、移動局ＵＥであって、セル＃Ａで通信中に、所定エリア＃１内に入ったことを検出した場合、或いは、所定エリア＃１から外に出たことを検出した場合に、セル＃Ａを管理する無線基地局ｅＮＢ＃Ａに対して、ＣＳＧセル＃１のＰＣＩを含む「ｐｒｏｘｉｍｉｔｙ  ｉｎｄｉｃａｔｉｏｎ」を送信するように構成されているｐｒｏｘｉｍｉｔｙ  ｉｎｄｉｃａｔｉｏｎ送信部１２と、無線基地局ｅＮＢ＃Ａに対して、ＣＳＧセル＃１のＰＣＩを含む「ｍｅａｓｕｒｅｍｅｎｔ  ｒｅｐｏｒｔ」を送信するように構成されているｍｅａｓｕｒｅｍｅｎｔ  ｒｅｐｏｒｔ送信部１５と、無線基地局ｅＮＢ＃Ａから受信した「ＳＩ  ｒｅｐｏｒｔｉｎｇ要求」に応じて、ＣＳＧセルにおいて報知されている所定情報（例えば、ＣＧＩやＴＡＩや「ｍｅｍｂｅｒ/ｎｏｎ-ｍｅｍｂｅｒ  ｉｎｄｉｃａｔｉｏｎ」等）を含む「ＳＩ  ｒｅｐｏｒｔｉｎｇ」を送信するように構成されているＳＩ  ｒｅｐｏｒｔｉｎｇ送信部とを具備することを要旨とする。
【００９３】
本実施形態の第３の特徴は、セル＃Ａを管理する無線基地局ｅＮＢ＃Ａであって、所定エリア＃１内に入ったことを検出したセル＃Ａで通信中の移動局ＵＥ、或いは、所定エリア＃１から外に出たことを検出したセル＃Ａで通信中の移動局ＵＥから、ＣＳＧセル＃１のＰＣＩを含む「ｐｒｏｘｉｍｉｔｙ  ｉｎｄｉｃａｔｉｏｎ」を受信するように構成されているｐｒｏｘｉｍｉｔｙ  ｉｎｄｉｃａｔｉｏｎ受信部２１と、移動局ＵＥから、ＣＳＧセル＃１のＰＣＩを含む「ｍｅａｓｕｒｅｍｅｎｔ  ｒｅｐｏｒｔ」を受信するように構成されているｍｅａｓｕｒｅｍｅｎｔ  ｒｅｐｏｒｔ受信部２４と、移動局ＵＥに対して、ＣＳＧセル＃１において報知されている所定情報（例えば、ＣＧＩやＴＡＩや「ｍｅｍｂｅｒ/ｎｏｎ-ｍｅｍｂｅｒ  ｉｎｄｉｃａｔｉｏｎ」等）を含む「ＳＩ  ｒｅｐｏｒｔｉｎｇ」の送信を要求する「ＳＩ  ｒｅｐｏｒｔｉｎｇ要求」を送信するように構成されているＳＩ  ｒｅｐｏｒｔｉｎｇ要求送信部２５とを具備することを要旨とする。
【００９４】
本実施形態の第３の特徴において、ＳＩ  ｒｅｐｏｒｔｉｎｇ要求送信部２５は、受信した「ｐｒｏｘｉｍｉｔｙ  ｉｎｄｉｃａｔｉｏｎ」及び「ｍｅａｓｕｒｅｍｅｎｔ  ｒｅｐｏｒｔ」に基づいて、移動局ＵＥに対して、「ＳＩ  ｒｅｐｏｒｔｉｎｇ要求」を送信するか否かについて決定するように構成されていてもよい。
【００９５】
本実施形態の第３の特徴において、移動局ＵＥのセル＃Ａから他の無線基地局ｅＮＢ配下のセルへのハンドオーバを行うことを決定した場合に、かかる他の無線基地局ｅＮＢに対して、「ｐｒｏｘｉｍｉｔｙ  ｉｎｄｉｃａｔｉｏｎ」を転送するように構成されている転送部２７を具備してもよい。
【００９６】
なお、上述の移動局ＵＥや無線基地局ｅＮＢ＃Ａ/ＨｅＮＢ＃１の動作は、ハードウェアによって実施されてもよいし、プロセッサによって実行されるソフトウェアモジュールによって実施されてもよいし、両者の組み合わせによって実施されてもよい。
【００９７】
ソフトウェアモジュールは、ＲＡＭ（Ｒａｎｄｏｍ  Ａｃｃｅｓｓ  Ｍｅｍｏｒｙ）や、フラッシュメモリや、ＲＯＭ（Ｒｅａｄ  Ｏｎｌｙ  Ｍｅｍｏｒｙ）や、ＥＰＲＯＭ（Ｅｒａｓａｂｌｅ  Ｐｒｏｇｒａｍｍａｂｌｅ  ＲＯＭ）や、ＥＥＰＲＯＭ（Ｅｌｅｃｔｒｏｎｉｃａｌｌｙ  Ｅｒａｓａｂｌｅ  ａｎｄ  Ｐｒｏｇｒａｍｍａｂｌｅ  ＲＯＭ）や、レジスタや、ハードディスクや、リムーバブルディスクや、ＣＤ-ＲＯＭといった任意形式の記憶媒体内に設けられていてもよい。
【００９８】
かかる記憶媒体は、プロセッサが当該記憶媒体に情報を読み書きできるように、当該プロセッサに接続されている。また、かかる記憶媒体は、プロセッサに集積されていてもよい。また、かかる記憶媒体及びプロセッサは、ＡＳＩＣ内に設けられていてもよい。かかるＡＳＩＣは、移動局ＵＥや無線基地局ｅＮＢ＃Ａ/ＨｅＮＢ＃１内に設けられていてもよい。また、かかる記憶媒体及びプロセッサは、ディスクリートコンポーネントとして移動局ＵＥや無線基地局ｅＮＢ＃Ａ/ＨｅＮＢ＃１内に設けられていてもよい。
【００９９】
以上、上述の実施形態を用いて本発明について詳細に説明したが、当業者にとっては、本発明が本明細書中に説明した実施形態に限定されるものではないということは明らかである。本発明は、特許請求の範囲の記載により定まる本発明の趣旨及び範囲を逸脱することなく修正及び変更態様として実施することができる。従って、本明細書の記載は、例示説明を目的とするものであり、本発明に対して何ら制限的な意味を有するものではない。従って、本明細書の記載は、例示説明を目的とするものであり、本発明に対して何ら制限的な意味を有するものではない。
【符号の説明】
【０１００】
ＵＥ…移動局
１１…管理部
１２…ｐｒｏｘｉｍｉｔｙ  ｉｎｄｉｃａｔｉｏｎ送信部
１３…ｍｅａｓｕｒｅｍｅｎｔ  ｃｏｎｆｉｇｕｒａｔｉｏｎ受信部
１４…測定部
１５…ｍｅａｓｕｒｅｍｅｎｔ  ｒｅｐｏｒｔ送信部
１６…ＳＩ  ｒｅｐｏｒｔｉｎｇ要求受信部
１７…ＳＩ受信部
１８…ＳＩ  ｒｅｐｏｒｔｉｎｇ送信部
ｅＮＢ＃Ａ…無線基地局
２１…ｐｒｏｘｉｍｉｔｙ  ｉｎｄｉｃａｔｉｏｎ受信部
２２…管理部
２３…ｍｅａｓｕｒｅｍｅｎｔ  ｃｏｎｆｉｇｕｒａｔｉｏｎ送信部
２４…ｍｅａｓｕｒｅｍｅｎｔ  ｒｅｐｏｒｔ受信部
２５…ＳＩ  ｒｅｐｏｒｔｉｎｇ要求送信部
２６…ＳＩ  ｒｅｐｏｒｔｉｎｇ受信部
２７…転送部
【図１】
2011142578.tif 000003
【図２】
2011142578.tif 000004
【図３】
2011142578.tif 000005
【図４】
2011142578.tif 000006